(57)【要約】【課題】自動車の中で長時間にわたって運転をする場合に、首周りが疲労し、その防止のために座席にヘッドレストを使用しているが、公知のヘッドレストは単に頭を当てて休ませるものであり、本発明はより積極的に首周りの疲労を解除し、安全性も考慮するヘッドレストを提供する事を課題としている。【解決手段】通常の車に於ける座席の上部に、運転中は普通の頭当て枕として使用し、休憩時には、反転して揺動する首筋の按摩器として使用できる、各種車両に適合するヘッドレストとして課題を解決している。【選択図】            図１
2004322988.tif 000002
【特許請求の範囲】
【請求項１】
クッション材を介して枕カバー内に収容される箱状の本体内部に、バッテリーを電源として駆動するモーターと減速用歯車とから成る回転部を配置し、前記回転部で減速される回転で受動するクランクに一端が固定され、前記箱状本体に固定する支軸が貫通する案内溝を胴体部に形成し、他端の、前記胴体部より先端に向けてＶ字状の垂直方向に二股となる先端部に段違いに２個の球状ローラーを設けて成る羽体を、適当な間隔で左右に２組配備して回動自在に支持し、前記モーターの回転に拠り前記球状ローラーが回転しながら揺動する按摩器を備え、前記箱状本体の底部には、座席の頭部と接続する支柱を有する基台と接続する、軸受けを介して成る回転自在な凹凸による嵌合部を設け、前記箱状本体が１８０度の角度で反転することを可能とする前後両側面使用のヘッドレスト。
【請求項２】
自動車座席の頭部に設けてある枕の一つの差し込み孔に挿入される固定支柱を基台の下方に固定して設け、他の差し込み孔に挿入される、頭部に調整板を有する移動支柱の前記調整板が移動するスライド溝を基台の長手方向に形成して前記移動支柱が座席の左右方向に移動できるようにし、車種による異なる座席幅に合わせた適当位置において、前記固定支柱と前記移動支柱を有する基台が調節可能に自動車座席に取り付けられる請求項１記載のヘッドレスト。
【発明の詳細な説明】
【０００１】
【発明の属する技術分野】
本発明は、特に自動車のシートに用いる、反転させることに拠り前後両面を使用できる通常の枕状と按摩状態を選択できるヘッドレストに関するものである。
【０００２】
【従来の技術】
従来の自動車座席に取り付ける枕にあっては、首筋等の頭部疲労を解除する事を目的としものが殆どであり、例えば特開２００２−１２０６２５号公報に示される機器等が各種知られている。
【０００３】
【発明が解決しようとする課題】
自動車の狭い空間内で運転するような或いは運転をしなくても長時間その中に座っている場合には首周りが疲労し、その為に運転を休止して座席を倒して身体を横にして一時的に休息するとか、シートの上部に取り付けられる枕に頭を当てて頭部の荷重を支えて疲労を回復する事が普通に行われているが、上述した従来公知の枕にあっては、単に頭部の荷重を支えて首筋への負担を軽くするだけの機能を有するものであり、従って本発明に於いては、より積極的に首周りの疲労を解除するための、亦安全性も考慮して、通常の頭当てと首筋部の按摩の両機能を有するヘッドレストを提供することを課題としている。
【０００４】
【課題を解決するための手段】
箱状の本体内部に設ける、バッテリーを電源として駆動するモーターと、数段に組み合わさる減速用歯車とから成る回転部と、前記回転部で減速した回転を受けて回転するクランクに一端が結合し、他端に、垂直方向で枝分かれし、この枝分かれする先端部に段違いに２個の球状ローラーを配し、胴体部に、前記箱状本体に固定する支軸が貫通する案内溝を穿つ羽体の左右２組から成る揺動する按摩器部とを片側に備え、前記回転部及び按摩器部をクッション材を介して前記按摩器部を装備する反対側には通常の頭当て状に形成する頭座を枕カバー内に収容する枕の、前記箱状本体の底部には、座席の頭部と接続する支柱を有する基台と、回動を容易にするように軸受けを介して、前記箱状本体底部と基台の両者に形成する凹凸部に依り回転自在に嵌合する結合部を設け、前記箱状本体の１８０度の角度で反転できる前後の両側面を使用するヘッドレストを構成しているものである。
【０００５】
亦、自動車の座席頭部に設けてある枕の差し込み用孔に挿入する前記支柱が固定支柱と移動支柱とから成り、前記基台の下方に固定支柱を立設すると共に、前記基台に長手方向に穿設するスライド溝に沿って移動する、頭部にボンネット状の調整板を有する移動支柱を前記基台から下方に立設して、前記移動支柱が座席の幅に合わせて、前記固定支柱と共に座席の枕差し込み孔に挿入されて、座席の大小に合わせた適当な位置で枕が納まる、基台と枕部が回動し１８０度反転出来るヘッドレストとして構成するものである。
【０００６】
【発明の実施の形態】
以下、図面に示す実施例に基づき、本発明の実施の形態について詳述する。
図１は、本発明に於ける一実施例の縦断面図であり、図２は、同実施例の横断面図である。
本実施例は、枕カバー３内に、クッション材２を介して収納される箱状の本体１の中に、バッテリーで駆動するモーター４と複数個で構成される減速用歯車５から成る回転部と、この回転力を受けて回動するクランク６に一端を結合し他端の自由端側を垂直方向にＶ字状に枝分かれし、その枝分かれした先端部に回転軸を通して自由に回転する球状ローラー８を設ける胴体部に、箱状本体１に固定する支軸９が貫通する案内溝７−１を穿つ羽体７が、左右に２個を箱状本体１の片側に配置する按摩器部と、箱状本体１の底部に凹部を形成し、軸受１０を介して回転自在に挿入される回転受軸１２が上方に屹立し、下方に固定支柱１３及び上端に調整板１４を形成する移動支柱１５を立設する基台１１で成る取付け部とで構成されている枕部が、固定支柱１３と移動支柱１５が自動車の座席１６の頭部に設けられている枕の差し込み孔に挿入されて取り付けられる、枕部が１８０度の角度に反転出来るヘッドレストである。
【０００７】
図３は、本発明のヘッドレストに関わる取付け部の実施例を示す部分斜視図である。
基台１１の上面に、枕部の凹部に配置する軸受１０に嵌合する回転受軸１２を立設固定し、下方に固定支柱１３を形成すると共に、基台１１には、一端側から長手方向にスライド溝１７を穿設し、このスライド溝１７に沿って摺動する調整板１４を頭部に形成する移動支柱１５とに依り取付け部が構成されているものである。
【０００８】
図４は、本発明に関わるヘッドレストの一つの使用状態を示す概念図であり、図５は、他の使用状態を示す概念図であり、二種の状態を選択的に使用可能であることを示すものである。即ち、図４に示す状態は、通常の座席枕として使用している状態を示したものであり、図５は、首筋等の按摩時の状態を示したものである。
【０００９】
上記の実施例によって示される本発明の使用は、長時間の運転等で首周りの疲労を感じた場合に、按摩器部側を後頭部に当て、バッテリーの電源を入れると、モーター４が回転し、回転部が作動し、クランク６に接続する按摩器部が作動して、上下左右に合計４個の球状ローラー８が回転すると共に羽体７に設ける案内溝７−１に制限される揺動を生じ、按摩器としての役割を果たし首筋等のマッサージを行い、通常運転の場合には、枕部を１８０度の角度に反転させて枕として使用することになる。この場合、軸受１０を設けてあるので反転は極めて容易に行うことが可能となる。
また、車種により座席幅が異なるので、本ヘッドレストにおいては、移動支柱１５が、基台１１に設けるスライド溝１７に沿って調整が可能であり、従って、どの車種にも対応出来ることになると同時に、既存の座席に設けられている枕の差し込み孔の大きさの異なる場合には固定支柱１３及び移動支柱１５の直径を変えることで対応できることになる。
【００１０】
本発明は、基本的には回転部と按摩器部と回転自在な取付け部を有するヘッドレストであり、箱状本体１と基台１１との凹凸の嵌合による接続は、図示の例においては、箱状本体１に凹部を形成するものを示したが、これは逆に基台１１側に凹部を設ける等の設計変更は自由であり、軸受１０の設計も自由である。
また、左右の羽体７を支軸９に設けるスプリング等で支持固定する等の固定の仕方も自由に選択できるものであり、更に、球状ローラー８等の材質もその選択は自由であり、要するに枕部が容易に反転でき、按摩器としての作用を有すヘッドレストであり、車以外の家庭内等でも使用可能なものとしての機能を有するものである。
亦、按摩器として使用する場合に発生する熱を外部に逃がすために、箱状反対の内部に通じる穴を枕カバーに設けること等は当然のことであり、枕部を１８０度反転させたときのストッパー等の手段を適に選択出来るものである。
【００１１】
【発明の効果】
上述のように、本発明に拠り、積極的に首筋等の疲労快復を図ると言う課題を十分に解決し、車の運転中には、按摩器としての機能を止めて通常の枕として用いることで安全性も保証される特有の効果を有するものである。
【図面の簡単な説明】
【図１】一実施例を示す縦断面図である。
【図２】図１に於ける横断面図である。
【図３】取付け部の部分斜視図である。
【図４】使用状態を示す概念図である。
【図５】他の使用状態を示す概念図である。
【符号の説明】
１      箱状本体
２      クッション
３      枕カバー
４      モーター
５      歯車
６      クランク
７      羽体
８      球状ローラー
９      支軸
１０    軸受
１１    基台
１２    回転受軸
１３    固定支柱
１４    調整板
１５    移動支柱
１６    座席
１７    スライド溝
【図１】
2004322988.tif 000003
【図２】
2004322988.tif 000004
【図３】
2004322988.tif 000005
【図４】
2004322988.tif 000006
【図５】
2004322988.tif 000007